【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
オレフィン重合用触媒組成物であって、下記成分：
ａ）：マグネシウム、チタン、ハロゲン及び少なくとも１種の孤立電子対を有する内部電子供与体を含む固体触媒成分；
ｂ）：アルミニウムアルキル化合物；及び
ｃ）：第１の外部電子供与体Ｃ１及び第２の外部電子供与体Ｃ２を含む外部電子供与体
を含み、
前記第１の外部電子供与体Ｃ１がマロナート化合物であり、前記第２の外部電子供与体Ｃ２がシラン化合物、ジエーテル化合物及びアミン化合物からなる群より選択され、
アルミニウムに対するチタンのモル比に基づく、成分ｂ）に対する成分ａ）のモル比が１：（５〜１０００）である、触媒組成物。
【請求項２】
前記マロナート化合物が、下記式（Ｉ）：
【化６】
2019090051.tif 000001
（式中、Ｒ９は、置換又は非置換Ｃ１〜Ｃ２０ヒドロカルビル基であり、Ｒ７及びＲ８は、同一又は互いに異なっており、水素、ハロゲン及び置換又は非置換Ｃ１〜Ｃ２０ヒドロカルビル基からなる群より選択される）
で示される一般式を有する、請求項１記載の触媒組成物。
【請求項３】
Ｒ９は、置換又は非置換Ｃ１〜Ｃ１０ヒドロカルビル基であり、Ｒ７及びＲ８は、水素、ハロゲン及び置換又は非置換Ｃ１〜Ｃ１０ヒドロカルビル基からなる群より選択される、請求項２記載の触媒組成物。
【請求項４】
前記Ｒ９が、置換又は非置換Ｃ１〜Ｃ１０直鎖状アルキル基、Ｃ３〜Ｃ１０分岐鎖状アルキル基、Ｃ３〜Ｃ１０シクロアルキル基、Ｃ６〜Ｃ１０アリール基、Ｃ７〜Ｃ１０アルカリール基及びＣ７〜Ｃ１０アラルキル基からなる群より選択され；
Ｒ７及びＲ８が、同一又は互いに異なっており、水素、ハロゲン及び置換又は非置換Ｃ１〜Ｃ１０アルキル基、Ｃ１〜Ｃ１０アルキレン基、Ｃ３〜Ｃ１０シクロアルキル基、Ｃ６〜Ｃ１０アリール基及びＣ７〜Ｃ１０アルカリール基又はアラルキル基からなる群より選択される、請求項２記載の触媒組成物。
【請求項５】
前記Ｒ９は、置換又は非置換Ｃ２〜Ｃ８直鎖状アルキル基、Ｃ３〜Ｃ８分岐鎖状アルキル基、Ｃ３〜Ｃ１０シクロアルキル基及びＣ７〜Ｃ１０アルカリール基からなる群より選択され、
Ｒ７及びＲ８は、水素、ハロゲン及び置換又は非置換Ｃ１〜Ｃ８アルキル基、Ｃ２〜Ｃ８アルキレン基、Ｃ３〜Ｃ１０シクロアルキル基、Ｃ６〜Ｃ１０アリール基及びＣ７〜Ｃ１０アルカリール基からなる群より選択される、請求項４記載の触媒組成物。
【請求項６】
前記マロナート化合物が、マロン酸ジエチル、マロン酸ジ−ｎ−プロピル、マロン酸ジイソプロピル、マロン酸ジ−ｎ−ブチル、マロン酸ジイソブチル、メチルマロン酸ジエチル、メチルマロン酸ジ−ｎ−プロピル、メチルマロン酸ジイソプロピル、メチルマロン酸ジ−ｎ−ブチル、メチルマロン酸ジイソブチル、メチルマロン酸ジ−tert−ブチル、エチルマロン酸ジエチル、エチルマロン酸ジ−ｎ−プロピル、エチルマロン酸ジイソプロピル、エチルマロン酸ジ−ｎ−ブチル、エチルマロン酸ジイソブチル、エチルマロン酸ジ−tert−ブチル、ｎ−プロピルマロン酸ジエチル、ｎ−プロピルマロン酸ジ−ｎ−プロピル、ｎ−プロピルマロン酸ジイソプロピル、ｎ−プロピルマロン酸ジ−ｎ−ブチル、ｎ−プロピルマロン酸ジイソブチル、ｎ−プロピルマロン酸ジ−tert−ブチル、イソプロピルマロン酸ジエチル、イソプロピルマロン酸ジ−ｎ−プロピル、イソプロピルマロン酸ジイソプロピル、イソプロピルマロン酸ジ−ｎ−ブチル、イソプロピルマロン酸ジイソブチル、イソプロピルマロン酸ジ−tert−ブチル、フェニルマロン酸ジエチル、フェニルマロン酸ジ−ｎ−プロピル、フェニルマロン酸ジイソプロピル、フェニルマロン酸ジ−ｎ−ブチル、フェニルマロン酸ジイソブチル、フェニルマロン酸ジ−tert−ブチル、ベンジルマロン酸ジエチル、ベンジルマロン酸ジ−ｎ−プロピル、ベンジルマロン酸ジイソプロピル、ベンジルマロン酸ジ−ｎ−ブチル、ベンジルマロン酸ジイソブチル、ベンジルマロン酸ジ−tert−ブチル、ジメチルマロン酸ジエチル、ジエチルマロン酸ジエチル、メチルエチルマロン酸ジエチル、メチル−ｎ−ブチルマロン酸ジエチル、メチルイソブチルマロン酸ジエチル、メチル−ｎ−プロピルマロン酸ジエチル、メチルイソプロピルマロン酸ジエチル、ジ−ｎ−プロピルマロン酸ジエチル、ジ−ｎ−ブチルマロン酸ジエチル、ジイソプロピルマロン酸ジエチル、ジイソブチルマロン酸ジエチル及びジアリルマロン酸ジエチルからなる群より選択される１種以上である、請求項１〜５のいずれか一項記載の触媒組成物。
【請求項７】
前記固体触媒成分ａ）中の前記内部電子供与体が、Ｏ、Ｎ、Ｐ又はＳ原子を含む化合物の群より選択される、請求項１〜６のいずれか一項記載の触媒組成物。
【請求項８】
前記固体触媒成分ａ）中の前記内部電子供与体が、Ｏ原子を含む化合物の群より選択される、請求項７記載の触媒組成物。
【請求項９】
前記固体触媒成分ａ）中の前記内部電子供与体が、エーテル、エステル、フェノールエーテル、フェノールエステル及びケトン化合物からなる群より選択される、請求項７記載の触媒組成物。
【請求項１０】
前記固体触媒成分ａ）中の前記内部電子供与体が、ジオールエステル化合物、スクシナート化合物、フタラート化合物及びジエーテル化合物からなる群より選択される、請求項９記載の触媒組成物。
【請求項１１】
前記ジオールエステル化合物が、下記式（ＩＩ）：
【化７】
2019090051.tif 000002
（式中、
Ｒ１及びＲ２は、同一又は互いに異なっており、置換又は非置換Ｃ１〜Ｃ２０アルキル基、Ｃ３〜Ｃ２０シクロアルキル基、Ｃ６〜Ｃ２０アリール基、Ｃ７〜Ｃ２０アルカリール基及びＣ７〜Ｃ２０アラルキル基からなる群より選択され、
Ｒ３及びＲ４は、同一又は互いに異なっており、水素、ハロゲン及び置換又は非置換Ｃ１〜Ｃ１０直鎖状アルキル基、Ｃ３〜Ｃ１０分岐鎖状アルキル基、Ｃ３〜Ｃ１０シクロアルキル基、Ｃ６〜Ｃ１０アリール基及びＣ７〜Ｃ１０アルカリール又はアラルキル基からなる群より選択され、Ｒ３及びＲ４は、場合により、結合して環を形成してもよく、又は環を形成していなくてもよい；
Ｒ５及びＲ６は、同一又は互いに異なっており、ハロゲン及び置換又は非置換Ｃ１〜Ｃ１０直鎖状アルキル基、Ｃ３〜Ｃ１０分岐鎖状アルキル基、Ｃ３〜Ｃ１０シクロアルキル基、Ｃ６〜Ｃ１０アリール基及びＣ７〜Ｃ１０アルカリール又はアラルキル基からなる群より選択される）
で示される一般式を有する、請求項１０記載の触媒組成物。
【請求項１２】
Ｒ１及びＲ２は、Ｃ１〜Ｃ５アルキル、フェニル及びハロゲン化フェニル基、Ｃ１〜Ｃ５アルキルフェニル基及びハロゲン化Ｃ１〜Ｃ５アルキルフェニル、インデニル、ベンジル及びフェニルエチル基からなる群より選択され、
Ｒ３及びＲ４は、水素、メチル、エチル、ｎ−プロピル、イソプロピル、ｎ−ブチル、イソブチル、塩素及び臭素からなる群より選択され、Ｒ３及びＲ４は、場合により、結合して環を形成してもよく、又は環を形成していなくてもよく；
Ｒ５及びＲ６は、メチル、エチル、ｎ−プロピル、イソプロピル、ｎ−ブチル、イソブチル並びにハロゲン化メチル、エチル、ｎ−プロピル、イソプロピル、ｎ−ブチル及びイソブチルからなる群より選択される、請求項１１記載の触媒組成物。
【請求項１３】
前記ジオールエステル化合物が、２，４−ペンタンジオールジベンゾアート、２，４−ペンタンジオールジ−ｐ−メチル−ベンゾアート、２，４−ペンタンジオールジ−ｍ−メチル−ベンゾアート、２，４−ペンタンジオールジ−ｏ−メチル−ベンゾアート、２，４−ペンタンジオールジ−ｐ−エチル−ベンゾアート、２，４−ペンタンジオールジ−ｐ−ｎ−プロピル−ベンゾアート、２，４−ペンタンジオールジ−ｐ−イソプロピル−ベンゾアート、２，４−ペンタンジオールジ−ｐ−イソブチル−ベンゾアート、２，４−ペンタンジオールジ−ｐ−ｎ−ブチル−ベンゾアート、２，４−ペンタンジオールジ−ｐ−tert−ブチル−ベンゾアート、３−メチル−２，４−ペンタンジオールジベンゾアート、３−エチル−２，４−ペンタンジオールジベンゾアート、３−ｎ−プロピル−２，４−ペンタンジオールジベンゾアート、３−エチル−２，４−ペンタンジオールジ−ｐ−メチル−ベンゾアート、３−エチル−２，４−ペンタンジオールジ−ｐ−エチル−ベンゾアート、３−エチル−２，４−ペンタンジオールジ−ｐ−ｎ−プロピル−ベンゾアート、３−エチル−２，４−ペンタンジオールジ−ｐ−イソプロピル−ベンゾアート、３−エチル−２，４−ペンタンジオールジ−ｐ−イソブチル−ベンゾアート、３−エチル−２，４−ペンタンジオールジ−ｐ−ｎ−ブチル−ベンゾアート、３−エチル−２，４−ペンタンジオールジ−ｐ−tert−ブチル−ベンゾアート、３−ｎ−ブチル−２，４−ペンタンジオールジベンゾアート、３，３−ジ−メチル−２，４−ペンタンジオールジベンゾアート、３−クロロ−２，４−ペンタンジオールジベンゾアート、３−ブロモ−２，４−ペンタンジオールジベンゾアート、３，５−ヘプタンジオールジベンゾアート、３，５−ヘプタンジオールジ−ｐ−メチル−ベンゾアート、３，５−ヘプタンジオールジ−ｐ−エチル−ベンゾアート、３，５−ヘプタンジオールジ−ｐ−ｎ−プロピル−ベンゾアート、３，５−ヘプタンジオールジ−ｐ−イソプロピル−ベンゾアート、３，５−ヘプタンジオールジ−ｐ−イソブチル−ベンゾアート、３，５−ヘプタンジオールジ−ｐ−ｎ−ブチル−ベンゾアート、３，５−ヘプタンジオールジ−ｐ−tert−ブチル−ベンゾアート、４−メチル−３，５−ヘプタンジオールジベンゾアート、４，４−ジメチル−３，５−ヘプタンジオールジベンゾアート、４−エチル−３，５−ヘプタンジオールジベンゾアート、４−エチル−３，５−ヘプタンジオールジ−ｐ−メチル−ベンゾアート、４−エチル−３，５−ヘプタンジオールジ−ｐ−エチル−ベンゾアート、４−エチル−３，５−ヘプタンジオールジ−ｐ−プロピル−ベンゾアート、４−エチル−３，５−ヘプタンジオールジ−ｐ−ブチル−ベンゾアート、４−エチル−３，５−ヘプタンジオールジ−ｐ−tert−ブチル−ベンゾアート、４−ｎ−プロピル−３，５−ヘプタンジオールジベンゾアート、４−ｎ−ブチル−３，５−ヘプタンジオールジベンゾアート、４−クロロ−３，５−ヘプタンジオールジベンゾアート及び４−ブロモ−３，５−ヘプタンジオールジベンゾアートからなる群より選択される１種以上である、請求項９〜１２のいずれか一項記載の触媒組成物。
【請求項１４】
前記フタラート化合物が、下記式（ＩＩＩ）：
【化８】
2019090051.tif 000003
（式中、
Ｒ２１は、Ｃ１〜Ｃ１０直鎖状アルキル基、Ｃ３〜Ｃ１５分岐鎖状アルキル基、Ｃ３〜Ｃ１５シクロアルキル基、Ｃ６〜Ｃ２０アリール基、Ｃ７〜Ｃ２０アルカリール基及びＣ７〜Ｃ２０アラルキル基からなる群より選択され；
Ｒ２２〜Ｒ２５は、同一又は互いに異なっており、水素、ハロゲン及び置換又は非置換Ｃ１〜Ｃ１０直鎖状アルキル基、Ｃ３〜Ｃ１５分岐鎖状アルキル基、Ｃ３〜Ｃ１５シクロアルキル基、Ｃ６〜Ｃ２０アリール基、Ｃ７〜Ｃ２０アルカリール基及びＣ７〜Ｃ２０アラルキル基からなる群より選択される）
で示される一般式を有する、請求項９又は１０記載の触媒組成物。
【請求項１５】
Ｒ２１は、Ｃ２〜Ｃ８直鎖状アルキル基、Ｃ３〜Ｃ１０分岐鎖状アルキル基、Ｃ５〜Ｃ１０シクロアルキル基、Ｃ６〜Ｃ１５アリール基、Ｃ７〜Ｃ１５アルカリール基及びＣ７〜Ｃ１５アラルキル基からなる群より選択され；
Ｒ２２〜Ｒ２５は、水素、ハロゲン、置換又は非置換Ｃ１〜Ｃ６直鎖状アルキル基、Ｃ３〜Ｃ１０分岐鎖状アルキル基、Ｃ５〜Ｃ１０シクロアルキル基、Ｃ６〜Ｃ２０アリール基、Ｃ７〜Ｃ２０アルカリール基及びＣ７〜Ｃ２０アラルキル基からなる群より選択される、請求項１４記載の触媒組成物。
【請求項１６】
Ｒ２１は、Ｃ１〜Ｃ８直鎖状アルキル基、Ｃ３〜Ｃ１０分岐鎖状アルキル基、Ｃ６〜Ｃ１０アリール基、Ｃ７〜Ｃ１０アルカリール基及びＣ７〜Ｃ１０アラルキル基からなる群より選択され；
Ｒ２２〜Ｒ２５は、水素、ハロゲン及び置換又は非置換Ｃ１〜Ｃ６直鎖状アルキル基及びＣ３〜Ｃ８分岐鎖状アルキル基からなる群より選択される、請求項１４記載の触媒組成物。
【請求項１７】
前記フタラート化合物が、フタル酸ジメチル、フタル酸ジエチル、フタル酸ジ−ｎ−プロピル、フタル酸ジイソプロピル、フタル酸ジ−ｎ−ブチル、フタル酸ジイソブチル、フタル酸ジ−ｎ−ペンチル、フタル酸ジイソペンチル、フタル酸ジ−ｎ−ヘキシル、フタル酸ジイソヘキシル、フタル酸ジ−ｎ−オクチル、フタル酸ジイソオクチル、フタル酸ジベンジル、テトラメチルフタル酸ジメチル、テトラメチルフタル酸ジエチル、テトラメチルフタル酸ジ−ｎ−プロピル、テトラメチルフタル酸ジイソプロピル、テトラメチルフタル酸ジ−ｎ−ブチル、テトラメチルフタル酸ジイソブチル、テトラメチルフタル酸ジ−ｎ−ペンチル、テトラメチルフタル酸ジイソペンチル、テトラメチルフタル酸ジ−ｎ−ヘキシル、テトラメチルフタル酸ジイソヘキシル、テトラメチルフタル酸ジ−ｎ−オクチル、テトラメチルフタル酸ジイソオクチル、テトラメチルフタル酸ジベンジル、テトラブロモフタル酸ジメチル、テトラブロモフタル酸ジエチル、テトラブロモフタル酸ジ−ｎ−プロピル、テトラブロモフタル酸ジイソプロピル、テトラブロモフタル酸ジ−ｎ−ブチル、テトラブロモフタル酸ジイソブチル、テトラブロモフタル酸ジ−ｎ−ペンチル、テトラブロモフタル酸ジイソペンチル、テトラブロモフタル酸ジ−ｎ−ヘキシル、テトラブロモフタル酸ジイソヘキシル、テトラブロモフタル酸ジ−ｎ−オクチル、テトラブロモフタル酸ジイソオクチル及びテトラブロモフタル酸ジベンジルからなる群より選択される１種以上である、請求項９、１０及び１４〜１６のいずれか一項記載の触媒組成物。
【請求項１８】
前記ジエーテル化合物が、下記式（ＩＶ）：
【化９】
2019090051.tif 000004
（式中、Ｒ３１及びＲ３２は、同一又は互いに異なっており、置換又は非置換Ｃ１〜Ｃ１０直鎖状アルキル基、Ｃ３〜Ｃ１５分岐鎖状アルキル基、Ｃ３〜Ｃ１５シクロアルキル基、Ｃ６〜Ｃ２０アリール基、Ｃ７〜Ｃ２０アルカリール基及びＣ７〜Ｃ２０アラルキル基からなる群より選択され、Ｒ３１及びＲ３２は、場合により、結合して環を形成してもよく、又は環を形成していなくてもよい）
で示される一般式を有する、請求項９又は１０記載の触媒組成物。
【請求項１９】
Ｒ３１及びＲ３２は、置換又は非置換Ｃ１〜Ｃ８直鎖状アルキル基、Ｃ３〜Ｃ１０分岐鎖状アルキル基、Ｃ３〜Ｃ１０シクロアルキル基、Ｃ６〜Ｃ１５アリール基、Ｃ７〜Ｃ１５アルカリール基及びＣ７〜Ｃ１５アラルキル基からなる群より選択される、請求項１８記載の触媒組成物。
【請求項２０】
前記ジエーテル化合物が、
２，２−ジメチル−１，３−ジメトキシプロパン、
２，２−ジエチル−１，３−ジメトキシプロパン、
２，２−ジプロピル−１，３−ジメトキシプロパン、
２，２−ジイソプロピル−１，３−ジメトキシプロパン、
２，２−ジブチル−１，３−ジメトキシプロパン、
２，２−ジイソブチル−１，３−ジメトキシプロパン、
２，２−ジペンチル−１，３−ジメトキシプロパン、
２，２−ジ−イソペンチル−１，３−ジメトキシプロパン、
２−メチル−２−エチル−１，３−ジメトキシプロパン、
２−メチル−２−プロピル−１，３−ジメトキシプロパン、
２−メチル−２−イソプロピル−１，３−ジメトキシプロパン、
２−メチル−２−ブチル−１，３−ジメトキシプロパン、
２−メチル−２−イソブチル−１，３−ジメトキシプロパン、
２−メチル−２−ペンチル−１，３−ジメトキシプロパン、
２−メチル−２−イソペンチル−１，３−ジメトキシプロパン、
２−エチル−２−プロピル−１，３−ジメトキシプロパン、
２−エチル−２−イソプロピル−１，３−ジメトキシプロパン、
２−エチル−２−ブチル−１，３−ジメトキシプロパン、
２−エチル−２−イソブチル−１，３−ジメトキシプロパン、
２−エチル−２−ペンチル−１，３−ジメトキシプロパン、
２−エチル−２−イソペンチル−１，３−ジメトキシプロパン、
２−プロピル−２−イソプロピル−１，３−ジメトキシプロパン、
２−プロピル−２−ブチル−１，３−ジメトキシプロパン、
２−プロピル−２−イソブチル−１，３−ジメトキシプロパン、
２−プロピル−２−ペンチル−１，３−ジメトキシプロパン、
２−プロピル−２−イソペンチル−１，３−ジメトキシプロパン、
２−イソプロピル−２−イソブチル−１，３−ジメトキシプロパン、
２−イソプロピル−２−ペンチル−１，３−ジメトキシプロパン、
２−イソプロピル−２−イソペンチル−１，３−ジメトキシプロパン、
２−ブチル−２−イソブチル−１，３−ジメトキシプロパン、
２−ブチル−２−ペンチル−１，３−ジメトキシプロパン、
２−ブチル−２−イソペンチル−１，３−ジメトキシプロパン、
２−イソブチル−２−ペンチル−１，３−ジメトキシプロパン、
２−イソブチル−２−イソペンチル−１，３−ジメトキシプロパン、
２−イソブチル−２−フェニル−１，３−ジメトキシプロパン、
２−イソペンチル−２−フェニル−１，３−ジメトキシプロパン、
２−（２−メチルブチル）−２−ベンジル−１，３−ジメトキシプロパン、
２−（２−エチルブチル）−２−フェニル−１，３−ジメトキシプロパン、
２−（２−エチルヘキシル）−２−フェニル−１，３−ジメトキシプロパン、
２−メチル−２−フェニル−１，３−ジメトキシプロパン、
２−エチル−２−フェニル−１，３−ジメトキシプロパン、
２−イソブチル−２−ベンジル−１，３−ジメトキシプロパン、
２−イソペンチル−２−ベンジル−１，３−ジメトキシプロパン、
２−（２−メチルブチル）−２−ベンジル−１，３−ジメトキシプロパン、
２−（２−エチルブチル）−２−ベンジル−１，３−ジメトキシプロパン、
２−（２−エチルヘキシル）−２−ベンジル−１，３−ジメトキシプロパン、
２−プロピル−２−ベンジル−１，３−ジメトキシプロパン、
２−イソプロピル−２−ベンジル−１，３−ジメトキシプロパン、
２−イソブチル−２−（２−エチルブチル）−１，３−ジメトキシプロパン、
２−イソペンチル−２−（２−エチルブチル）−１，３−ジメトキシプロパン、
２−（２−メチルブチル）−２−（２−エチルブチル）−１，３−ジメトキシプロパン、
２−（２−エチルヘキシル）−２−（２−エチルブチル）−１，３−ジメトキシプロパン、
２−メチル−２−（２−エチルブチル）−１，３−ジメトキシプロパン、
２−エチル−２−（２−エチルブチル）−１，３−ジメトキシプロパン、
２−イソブチル−２−（２−メチルブチル）−１，３−ジメトキシプロパン、
２−イソペンチル−２−（２−メチルブチル）−１，３−ジメトキシプロパン、
２−（２−エチルブチル）−２−（２−メチルブチル）−１，３−ジメトキシプロパン、
２−（２−エチルヘキシル）−２−（２−メチルブチル）−１，３−ジメトキシプロパン、
２−イソブチル−２−（２−メチルブチル）−１，３−ジメトキシプロパン、
２−イソブチル−２−（２−エチルヘキシル）−１，３−ジメトキシプロパン、
２−イソペンチル−２−（２−エチルヘキシル）−１，３−ジメトキシプロパン、
２，２−ビス（２−メチルブチル）−１，３−ジメトキシプロパン、
２−イソプロピル−２−イソペンチル−１，３−ジメトキシプロパン、
２，２−ビス（２−エチルヘキシル）−１，３−ジメトキシプロパン、及び
９，９−ビス（メトキシメチル）フルオレン
からなる群より選択される１種以上である、請求項９、１０、１８又は１９記載の触媒組成物。
【請求項２１】
前記シラン化合物が、一般式Ｒ４１ｍ”Ｒ４２ｎ”Ｓｉ（ＯＲ４３）４−ｍ”−ｎ”（式中、Ｒ４１及びＲ４２は、同一又は互いに異なっており、独立に、ハロゲン、水素、Ｃ１〜Ｃ２０アルキル基、Ｃ３〜Ｃ２０シクロアルキル基、Ｃ６〜Ｃ２０アリール基及びＣ１〜Ｃ２０ハロゲン化アルキル基からなる群より選択され得、
Ｒ４３は、Ｃ１〜Ｃ２０アルキル基、Ｃ３〜Ｃ２０シクロアルキル基、Ｃ６〜Ｃ２０アリール基及びＣ１〜Ｃ２０ハロゲン化アルキル基からなる群より選択され、
ｍ”及びｎ”は、各々０〜３の整数であり、かつｍ”＋ｎ”＜４である）
を有する、請求項１記載の触媒組成物。
【請求項２２】
前記ジエーテル化合物が、下記式（ＩＶ）：
【化１０】
2019090051.tif 000005
（式中、Ｒ３１及びＲ３２は、同一又は互いに異なっており、置換又は非置換Ｃ１〜Ｃ１０直鎖状アルキル基、Ｃ３〜Ｃ１５分岐鎖状アルキル基、Ｃ３〜Ｃ１５シクロアルキル基、Ｃ６〜Ｃ２０アリール基、Ｃ７〜Ｃ２０アルカリール基及びＣ７〜Ｃ２０アラルキル基からなる群より選択され、Ｒ３１及びＲ３２は、場合により、環を形成して、又は形成せずに結合する）
で示される一般式を有する、請求項１記載の触媒組成物。
【請求項２３】
Ｒ３１及びＲ３２は、置換又は非置換Ｃ１〜Ｃ８直鎖状アルキル基、Ｃ３〜Ｃ１０分岐鎖状アルキル基、Ｃ３〜Ｃ１０シクロアルキル基、Ｃ６〜Ｃ１５アリール基、Ｃ７〜Ｃ１５アルカリール基及びＣ７〜Ｃ１５アラルキル基からなる群より選択される、請求項２２記載の触媒組成物。
【請求項２４】
前記第２の外部電子供与体Ｃ２が、シクロヘキシルメチルジメトキシシラン、ジフェニルジメトキシシラン、フェニルトリエトキシシラン、ジイソプロピルジメトキシシラン、ジプロピルジメトキシシラン、ジシクロペンチルジメトキシシラン、ジフェニルジメチルシラン、テトラアルコキシシラン、ブチルトリメトキシシラン、２−イソプロピル−２−イソペンチル−１，３−ジメトキシプロパン、９，９−ビス（メトキシメチル）フルオレン、２，２−ジブチル−１，３−ジメトキシプロパン、２，２−ジイソブチル−１，３−ジメトキシプロパン及び２−イソブチル−２−イソペンチル−１，３−ジメトキシプロパンからなる群より選択される１種以上である、請求項１〜２３のいずれか一項記載の触媒組成物。
【請求項２５】
前記第２の外部電子供与体に対する前記第１の外部電子供与体のモル比が（１〜１００）：（１００〜１）である、請求項１〜２４のいずれか一項記載の触媒組成物。
【請求項２６】
前記第２の外部電子供与体に対する前記第１の外部電子供与体のモル比が（１〜５０）：（５０〜１）である、請求項２５記載の触媒組成物。
【請求項２７】
前記第２の外部電子供与体に対する前記第１の外部電子供与体のモル比が（１〜２０）：（２０〜１）である、請求項２５記載の触媒組成物。
【請求項２８】
アルミニウムに対するチタンのモル比に基づく、成分ｂ）に対する成分ａ）のモル比が１：（２０〜２５０）であり、外部電子供与体に対するチタンのモル比に基づく、成分ｃ）に対する成分ａ）のモル比が１：（１〜５０）である、請求項１〜２７のいずれか一項記載の触媒組成物。
【請求項２９】
請求項１〜２７のいずれか一項記載の触媒組成物の存在下に、オレフィンを予備重合させて得られるプレポリマーを含む予備重合触媒系であって、予備重合倍数が、固体触媒成分ａ）１グラム当たり、オレフィンポリマー０．１〜１０００グラムである、予備重合触媒系。
【請求項３０】
オレフィン重合方法であって、請求項１〜２８のいずれか一項記載の触媒組成物、又は請求項２９記載の予備重合触媒系の存在下に、オレフィンを重合させる工程を含む、オレフィン重合方法。
【請求項３１】
前記オレフィンが、一般式ＣＨ２＝ＣＨＲ（式中、Ｒは、水素又はＣ１〜Ｃ１２ヒドロカルビル基又はアリール基である）を有する、請求項３０記載の方法。
【請求項３２】
前記オレフィンがプロペンである、請求項３０記載の方法。